(57)【特許請求の範囲】
【請求項１】
前面を開口した板紙製の箱本体（１）と、この箱本体（１）の前面から出し入れ自在とした板紙製の引き出し（２）からなり、前記箱本体（１）の開口部に合成樹脂製の補強枠（３）を装着するために、前記箱本体（１）の開口部の端部に止着穴（９）を設けたものとし、前記補強枠（３）に止着部（１５）を設けており、さらに前記止着部（１５）をヒンジ体（１６）を切り込んで設け、ヒンジ体（１６）の内面に前記箱本体（１）の止着穴（９）に止着可能とした止着棒（１６ｂ）を設けたものとし、前記引き出し（２）の前面部（２ｂ）に合成樹脂製の補強板（４）を装着するために、前記引き出し（２）の前面部（２ｂ）を取り除くと共に、端部に止着穴（１４）を設けたものとし、前記補強板（４）に止着部（２０）を設けており、さらに前記止着部（２０）をヒンジ体（２１）を切り込んで設け、ヒンジ体（２１）の内面に前記引き出し（２）の止着穴（１４）に止着可能とした止着棒（２１ｂ）を設けたものとしたことを特徴とする収納ケース。
【請求項２】
前面を開口した板紙製の箱本体（１）と、この箱本体（１）の前面から出し入れ自在とした板紙製の引き出し（２）からなり、前記箱本体（１）の開口部に合成樹脂製の補強枠（３）を装着するために、前記箱本体（１）の開口部の少なくとも両側面端部に止着穴（９）を設けたものとし、前記補強枠（３）に止着部（１５）を設けており、さらに前記止着部（１５）をヒンジ体（１６）を切り込んで設け、ヒンジ体（１６）の内面に前記箱本体（１）の止着穴（９）に止着可能とした止着棒（１６ｂ）を設けたものとし、前記引き出し（２）の前面部（２ｂ）に合成樹脂製の補強板（４）を装着するために、前記引き出し（２）の前面部（２ｂ）を取り除くと共に、少なくとも両側面端部に止着穴（１４）を設けたものとし、前記補強板（４）に止着部（２０）を設けており、さらに前記止着部（２０）をヒンジ体（２１）を切り込んで設け、ヒンジ体（２１）の内面に前記引き出し（２）の止着穴（１４）に止着可能とした止着棒（２１ｂ）を設けたものとしたことを特徴とする収納ケース。
【請求項３】
前面を開口した板紙製の箱本体（１）と、この箱本体（１）の前面から出し入れ自在とした板紙製の引き出し（２）からなり、前記箱本体（１）の開口部に合成樹脂製の補強枠（３）を装着するために、前記箱本体（１）の開口部の少なくとも両側面端部に止着穴（９）を設けたものとし、前記補強枠（３）に止着部（１５）を設けており、さらに前記止着部（１５）をヒンジ体（１６）を切り込んで設け、このヒンジ体（１６）の上下、もしくは上下および左右に補強枠（３）との係止爪（１６ａ）を設けると共に、ヒンジ体（１６）の内面に前記箱本体（１）の止着穴（９）に止着可能とした止着棒（１６ｂ）を設けたものとし、前記引き出し（２）の前面部（２ｂ）に合成樹脂製の補強板（４）を装着するために、前記引き出し（２）の前面部（２ｂ）を取り除くと共に、少なくとも両側面端部に止着穴（１４）を設けたものとし、前記補強板（４）に止着部（２０）を設けており、さらに前記止着部（２０）をヒンジ体（２１）を切り込んで設け、このヒンジ体（２１）の上下、もしくは上下および左右に補強板（４）との係止爪（２１ａ）を設けると共に、ヒンジ体（２１）の内面に前記引き出し（２）の止着穴（１４）に止着可能とした止着棒（２１ｂ）を設けたものとしたことを特徴とする収納ケース。
【請求項４】
前記箱本体（１）の開口部に合成樹脂製の補強枠（３）を着脱自在に装着し、前記引き出し（２）の前面に合成樹脂製の補強板（４）を着脱自在に装着したことを特徴とする請求項１〜３の何れかに記載の収納ケース。
【請求項５】
前記補強板（４）を透明にしたことを特徴とする請求項１〜４の何れかに記載の収納ケース。
【請求項６】
前記箱本体（１）と引き出し（２）とを、折り畳み自在構造にしたことを特徴とする請求項１〜５の何れかに記載の収納ケース。
【発明の詳細な説明】
【産業上の利用分野】
【０００１】
この発明は、衣類、玩具、その他小物類や雑貨類などを収納するようにした収納ケースに関するものである。
【従来の技術】
【０００２】
従来、この種の収納ケースには、板紙、木材、合成樹脂板などで作製した上面開口の箱本体と、この箱本体の上面に被せる同じく板紙、木材、合成樹脂板などで作製した蓋体からなる蓋式の収納ケースや、板紙、木材、合成樹脂板などで作製した前面開口の箱本体と、この箱本体の前面から出し入れ自在としている同じく板紙、木材、合成樹脂板などで作製した引き出しからなる引き出し式の収納ケースが存在した。
【発明が解決しようとする課題】
【０００３】
しかしながら、上記従来の蓋式の収納ケースで、箱本体および蓋体を板紙製としたものは、本体重量が軽くなり通気性に優れ、折り畳み自在とすることができるが、強度性に欠けると共に、蓋体を開けなければ収納品の収納具合を確認することができない。また、上記従来の引き出し式の収納ケースで、箱本体および引き出しを合成樹脂製としたものは、前記蓋式の収納ケースとは逆に強度性には優れるが、折り畳み自在とすることができず、本体重量が重くなると共に通気性に欠ける。さらに、蓋式および引き出し式の収納ケースで、箱本体および引き出しを木製としたものは、強度性に優れ、通気性も合成樹脂製と比較すれば良いが、折り畳み自在とすることができず、本体重量が重くなる。
【０００４】
したがって、上記従来の収納ケースでは、収納品が湿っぽくなって黴が発生したり、また収納ケースどうしを積み重ねるなどした場合に下になる収納ケースが潰れたり、さらに不使用時にも嵩低くしておくことができず保管場所に困ったり、運搬時などに不便であったり、しかも収納品の重量に収納ケースの重量が加算されて非常に重くなるという課題を有していた。
【０００５】
そこで、この発明は、上記従来の収納ケースが有する課題を解決することを目的としてなされたものである。
【課題を解決するための手段】
【０００６】
そのため、この発明の収納ケースは、前面を開口した板紙製の箱本体１と、この箱本体１の前面から出し入れ自在とした板紙製の引き出し２からなり、前記箱本体１の開口部に合成樹脂製の補強枠３を装着するために、前記箱本体１の開口部の端部に止着穴９を設けたものとし、前記補強枠３に止着部１５を設けており、さらに前記止着部１５をヒンジ体１６を切り込んで設け、ヒンジ体１６の内面に前記箱本体１の止着穴９に止着可能とした止着棒１６ｂを設けたものとし、前記引き出し２の前面部２ｂに合成樹脂製の補強板４を装着するために、前記引き出し２の前面部２ｂを取り除くと共に、端部に止着穴１４を設けたものとし、前記補強板４に止着部２０を設けており、さらに前記止着部２０をヒンジ体２１を切り込んで設け、ヒンジ体２１の内面に前記引き出し２の止着穴１４に止着可能とした止着棒２１ｂを設けたものとしている。
【０００７】
さらに、この発明の収納ケースは、前面を開口した板紙製の箱本体１と、この箱本体１の前面から出し入れ自在とした板紙製の引き出し２からなり、前記箱本体１の開口部に合成樹脂製の補強枠３を装着するために、前記箱本体１の開口部の少なくとも両側面端部に止着穴９を設けたものとし、前記補強枠３に止着部１５を設けており、さらに前記止着部１５をヒンジ体１６を切り込んで設け、ヒンジ体１６の内面に前記箱本体１の止着穴９に止着可能とした止着棒１６ｂを設けたものとし、前記引き出し２の前面部２ｂに合成樹脂製の補強板４を装着するために、前記引き出し２の前面部２ｂを取り除くと共に、少なくとも両側面端部に止着穴１４を設けたものとし、前記補強板４に止着部２０を設けており、さらに前記止着部２０をヒンジ体２１を切り込んで設け、ヒンジ体２１の内面に前記引き出し２の止着穴１４に止着可能とした止着棒２１ｂを設けたものとしたものとしてもよい。
【０００８】
また、この発明の収納ケースは、前面を開口した板紙製の箱本体１と、この箱本体１の前面から出し入れ自在とした板紙製の引き出し２からなり、前記箱本体１の開口部に合成樹脂製の補強枠３を装着するために、前記箱本体１の開口部の少なくとも両側面端部に止着穴９を設けたものとし、前記補強枠３に止着部１５を設けており、さらに前記止着部１５をヒンジ体１６を切り込んで設け、このヒンジ体１６の上下、もしくは上下および左右に補強枠３との係止爪１６ａを設けると共に、ヒンジ体１６の内面に前記箱本体１の止着穴９に止着可能とした止着棒１６ｂを設けたものとし、前記引き出し２の前面部２ｂに合成樹脂製の補強板４を装着するために、前記引き出し２の前面部２ｂを取り除くと共に、少なくとも両側面端部に止着穴１４を設けたものとし、前記補強板４に止着部２０を設けており、さらに前記止着部２０をヒンジ体２１を切り込んで設け、このヒンジ体２１の上下、もしくは上下および左右に補強板４との係止爪２１ａを設けると共に、ヒンジ体２１の内面に前記引き出し２の止着穴１４に止着可能とした止着棒２１ｂを設けたものとしてもよい。
【０００９】
そして、この発明の収納ケースでは、前記補強枠３および補強板４の装着は着脱自在にしてもよい。また、この発明の収納ケースでは、前記補強板４は透明にしてもよい。さらに、この発明の収納ケースでは、前記箱本体１と引き出し２とを、折り畳み自在構造にしてもよい。
【作用】
【００１０】
この発明の収納ケースは、上記構成としたため、本体重量が軽く、しかも通気性、強度性に優れたものとなる。また、この発明の収納ケースは、補強板４を透明にしたものでは、引き出しを抜かずに収納ケース内の収納品の収納具合を確認することができる。さらに、この発明の収納ケースは、箱本体１から補強枠３を、引き出し２から補強板４をそれぞれ外すと共に箱本体１、引き出し２をそれぞれ折り畳むことにより、不使用時に嵩低くしておける。
【実施例】
【００１１】
以下、この発明の収納ケースの構成を、一実施例として示した図面に基づいて詳細に説明する。
【００１２】
図１、２に示すように、この発明の収納ケースは、前面を開口したダンボールなどの板紙製の箱本体１と、この箱本体の前面から出し入れ自在としたダンボールなどの板紙製の引き出し２からなり、箱本体１の前面開口部１ａに合成樹脂製の補強枠３を着脱自在に装着し、引き出し２の前面に合成樹脂製の補強板４を着脱自在に装着したものとしている。
【００１３】
前記箱本体１は、板紙を折り目１ｂ…から折曲して、平面５、両側面６、６、底面７を形成し、平面５の延長部５ａ、両側面６、６の延長部６ａ、６ａ、底面７の延長部７ａを折り目５ｂ、６ｂ、６ｂ、７ｂから折曲し、これら延長部を組み込んで背面８を形成することにより、折り畳み自在構造としており、前面開口部１ａ側の両側面６、６端部に止着穴９を設けると共に、同両側面６、６端部中央に切り溝１０を設けている。なお、箱本体１の折り畳み自在構造は、この実施例以外にも適宜の構造として実施することができる。
【００１４】
前記引き出し２は、板紙を折り目２ａ…から折曲して、両側面１１、１１、底面１２を形成し、両側面１１、１１の延長部１１ａ、１１ａ、底面１２の延長部１２ａを折り目１１ｂ、１１ｂ、１２ｂ、１２ｂから折曲し、これら延長部を組み込んで背面１３を形成することにより、折り畳み自在構造としており、この実施例に示したのものでは、前面部２ｂを取り除くと共に前面部２ｂ側の両側面１１、１１端部および底面１２端部に止着穴１４を設けている。なお、引き出し２の折り畳み自在構造は、この実施例以外にも適宜の構造として実施することができる。
【００１５】
前記補強枠３は、略コ字状とした上下二分割体からなり、それぞれ両側部に止着部１５を設けており、両分割体を組み合わせて長方形枠を形成し、前記箱本体１の前面開口部１ａに装着するようにしている。なお、この補強枠３は、略コ字状とした左右二分割体、その他の多分割体としてもよく、また分割体にすることなく一体形の長方形枠としてもよい。前記止着部１５は、補強枠３の両側部にヒンジ体１６を切り込んで設け、このヒンジ体１６の上下に補強枠３との係止爪１６ａを設けると共に、ヒンジ体１６の内面に前記箱本体１の止着穴９に止着可能とした止着棒１６ｂを設けたものとしている。
【００１６】
前記補強板４は、外面に引き手１７を取り付けると共に内面に補強リブ１８を設け、さらに内面周囲に枠体１９を設けている。この枠体１９の両側部および下部には止着部２０を設けており、補強板４を前記引き出し２の前面部２ｂに装着するようにしている。前記止着部２０は、枠体１９にヒンジ体２１を切り込んで設け、このヒンジ体２１の上下または左右に枠体１９との係止爪２１ａを設けると共に、ヒンジ体２１の内面に前記引き出し２の止着穴１４に止着可能とした止着棒２１ｂを設けたものとしている。なお、前記補強板４は、この実施例に示したように引き出し２の前面部２ｂを取り除いてから装着したものとするのが好ましく、またこの場合補強板４は透明にしたものとするのが好ましい。
【発明の効果】
【００１７】
この発明の収納ケースは、以上に述べたように構成されており、通気性、強度性に優れたものになると共に本体重量が軽くなるので、収納品が湿っぽくなって黴が発生するようなことはなく、また収納ケースどうしを積み重ねるなどした場合にも下になる収納ケースが潰れたりすることはなく、しかも本体重量により収納ケースの重量が大幅に増加することもない。さらに、この発明の収納ケースは、不使用時に嵩低くしておくことができ、保管場所に困ったり、運搬時などに不便であるということもなく、しかも補強板４を透明にすると、引き出しを抜かずに収納ケース内の収納品の収納具合を確認することができるので、使い勝手の良いものとなる。
【図面の簡単な説明】
【００１８】
【図１】  この発明の収納ケースの箱本体から引き出しを少し引き出した状態を示す斜視図である。
【図２】  この発明の収納ケースの箱本体から引き出しを外した状態を示す斜視図である。
【図３】  この発明の収納ケースの箱本体から補強枠を外した状態を示す説明図である。
【図４】  この発明の収納ケースの引き出しから補強板を外した状態を示す説明図である。
【図５】  この発明の収納ケースの箱本体から外した補強枠を拡大して示す斜視図である。
【図６】  この発明の収納ケースの引き出しから外した補強板を拡大して示す斜視図である。
【符号の説明】
【００１９】
１  箱本体
２  引き出し
２ｂ  前面部
３  補強枠
４  補強板
【図１】
0003811903.tif 000002
【図２】
0003811903.tif 000003
【図３】
0003811903.tif 000004
【図４】
0003811903.tif 000005
【図５】
0003811903.tif 000006
【図６】
0003811903.tif 000007